(57)【要約】【課題】  情報の読み取りおよび書き換えを選択的に可能とするＲＦＩＤ機能を有する半導体装置を備えた情報担持体を提供する。【解決手段】  第一のアンテナ１２および第二のアンテナ１４が設けられた平板１１、および、ＩＣチップ１７と挿入部１６ａとを備えた筐体１６からなり、平板１１を挿入部１６ａに挿入したとき、第一の接点１３または第二の接点１５と、ＩＣチップ１７に設けられた第三の接点１８とが電気的に接続して、第一のアンテナ１２または第二のアンテナ１４とＩＣチップ１７がＲＦＩＤ機能を有する半導体装置をなす非接触型ＩＣカード１０を提供する。【選択図】        図１
2006048095.tif 000002
【特許請求の範囲】
【請求項１】
アンテナが設けられた平板状の部材、および、ＩＣチップと挿入部とを備えた筐体からなり、前記部材を前記挿入部に挿入したとき、前記アンテナに設けられた接点Ａと前記ＩＣチップに設けられた接点Ｂとが電気的に接続して、前記アンテナと前記ＩＣチップがＲＦＩＤ機能を有する半導体装置をなすことを特徴とする情報担持体。
【請求項２】
前記部材には共振周波数の異なる複数のアンテナが設けられ、それぞれのアンテナ毎には接点Ａ（ｎ）［ｎは１以上の自然数］が設けられ、これらの接点Ａ（ｎ）のそれぞれと、前記ＩＣチップに設けられた接点Ｂが選択的に接続されることを特徴とする請求項１に記載の情報担持体。
【発明の詳細な説明】
【技術分野】
【０００１】
本発明は、ＲＦＩＤ機能を有する半導体装置を備えた情報担持体に関するものである。
【背景技術】
【０００２】
近年、情報化社会の進展に伴って、大量の情報をＩＣカードなどの情報記録媒体に記録し、このＩＣカードを用いて情報管理や決済などが行われている。
【０００３】
このような情報管理や決済などに用いられるＩＣカードは、ＩＣチップが内蔵されており、このＩＣチップに大量の情報を書き込むことや、読み出すことが可能となっている。このようなＩＣカードは、専用の装置に接触させることにより情報の書き込みおよび読み出しを行う接触型ＩＣカードと、専用の装置に近接させるだけで情報の書き込みおよび読み出しを行うことができる非接触型ＩＣカードに大別される。
【０００４】
従来、ＩＣカードの中でも非接触型ＩＣカードとしては、例えば、ＩＣモジュールをカード基材に搭載してなるＩＣカードと、通信用アンテナコイルを内蔵し、ＩＣカードを挿入するための挿入部が設けられてなるアンテナコイルケースとから構成されるものが挙げられる。ＩＣカードにはＩＣモジュールに接続された接続端子Ａが設けられており、アンテナコイルケースの挿入部の内面には通信用アンテナコイルに接続された接続端子Ｂが設けられている。ＩＣカードをアンテナコイルケースの挿入部に挿入することにより、接続端子Ａと接続端子Ｂが電気的に接続して、非接触型ＩＣカードを構成する（例えば、特許文献１参照。）。この非接触型ＩＣカードは、使用する時には、ＩＣカードをアンテナコイルケースの挿入部に挿入して両者を一体化し、使用しない時には、ＩＣカードとアンテナコイルケースを分離しておくことにより、ＩＣモジュールの誤作動を防止することができる（ＩＣモジュールにおける情報通信を不可能とすることができる。）。
【０００５】
しかしながら、従来、通信距離や通信周波数の異なる複数のＩＣモジュールを備え、それぞれのＩＣモジュールを必要に応じて、選択的に使用することが可能な非接触型ＩＣカードは考案されていない。複数のＩＣモジュールのうち、所望のＩＣモジュールについてのみ情報の書き込みや読み出しを行うには、通信用アンテナコイルを介して、選択的に所望のＩＣモジュールとの情報通信を行わなければならない。しかしながら、従来、このように、異なる機能を有する複数のＩＣモジュールを備え、選択的に所望のＩＣモジュールとの情報通信が可能な非接触型ＩＣカードは考案されていなかった。
【特許文献１】特開平１１−２１９４１８号公報
【発明の開示】
【発明が解決しようとする課題】
【０００６】
本発明は、前記事情に鑑みてなされたもので、情報の読み取りおよび書き換えを選択的に可能とするＲＦＩＤ機能を有する半導体装置を備えた情報担持体を提供することを目的とする。
【課題を解決するための手段】
【０００７】
本発明は、上記課題を解決するために、アンテナが設けられた平板状の部材、および、ＩＣチップと挿入部とを備えた筐体からなり、前記部材を前記挿入部に挿入したとき、前記アンテナに設けられた接点Ａと前記ＩＣチップに設けられた接点Ｂとが電気的に接続して、前記アンテナと前記ＩＣチップがＲＦＩＤ機能を有する半導体装置をなす情報担持体を提供する。
【０００８】
かかる構成によれば、平板状の部材を筐体の挿入部に挿入して、平板状の部材に設けられたアンテナの接点ＡとＩＣチップに設けられた接点Ｂとを電気的に接続することにより、アンテナとＩＣチップがＲＦＩＤ機能を有する半導体装置をなし、電磁誘導方式のアンテナが選択された場合、磁束を捕捉でき、電波方式のアンテナが選択された場合、電波を捕捉でき、ＩＣチップを作動させるために十分な起電力を発生させることができる。
【０００９】
上記構成の情報担持体において、前記部材には共振周波数の異なる複数のアンテナが設けられ、それぞれのアンテナ毎には接点Ａ（ｎ）［ｎは１以上の自然数］が設けられ、これらの接点Ａ（ｎ）のそれぞれと、前記ＩＣチップに設けられた接点Ｂが選択的に接続されることが好ましい。
【００１０】
かかる構成によれば、平板状の部材を筐体の挿入部に挿入して、平板状の部材に設けられたアンテナの接点Ａ（ｎ）のそれぞれとＩＣチップに設けられた接点Ｂとを選択的かつ電気的に接続することにより、アンテナとＩＣチップがＲＦＩＤ機能を有する半導体装置をなし、電磁誘導方式のアンテナが選択された場合、磁束を捕捉でき、電波方式のアンテナが選択された場合、電波を捕捉でき、ＩＣチップを作動させるために十分な起電力を発生させることができる。
【発明の効果】
【００１１】
本発明の情報担持体によれば、平板状の部材を筐体の挿入部に挿入して、平板状の部材に設けられたアンテナの接点ＡとＩＣチップに設けられた接点Ｂとを選択的かつ電気的に接続することにより、アンテナとＩＣチップがＲＦＩＤ機能を有する半導体装置をなし、電磁誘導方式のアンテナが選択された場合、磁束を捕捉でき、電波方式のアンテナが選択された場合、電波を捕捉でき、ＩＣチップを作動させるために十分な起電力を発生させることができる。したがって、ＲＦＩＤ機能を有する半導体装置を使用可能とし、ＩＣチップに記録された情報を読み取ったり、ＩＣチップに記録された情報を書き換えることができる。さらに、平板状の部材に異なる長さをなす導電体からなる複数のアンテナを設け、各アンテナに設けられた接点と、ＩＣチップに設けられた接点を選択的に接続すれば、必要に応じて、共振周波数や通信距離を変えることができる。
【発明を実施するための最良の形態】
【００１２】
以下、本発明を実施した情報担持体について、図面を参照して説明する。
【００１３】
（第一の実施形態）
図１は、本発明に係る情報担持体の第一の実施形態として、非接触型ＩＣカードを示す概略図であり、（ａ）は斜視図、（ｂ）は（ａ）のＡ−Ａ線に沿う断面図である。
図１中、符号１０は非接触型ＩＣカード、１１は平板状の部材（以下、「平板」と略す。）、１２は第一のアンテナ、１３は第一の接点、１４は第二のアンテナ、１５は第二の接点、１６は筐体、１７はＩＣチップ、１８は第三の接点、１９は導電体をそれぞれ示している。
【００１４】
この非接触型ＩＣカード１０は、平板１１と、この平板１１を内包するための挿入部１６ａを備えた筐体１６とから概略構成されている。
【００１５】
平板１１の一方の面１１ａには、長さの異なる第一のアンテナ１２と第二のアンテナ１４が所定の間隔をおいて、平板１１の外周をなす対向する二辺のそれぞれに設けられている。また、第一のアンテナ１２と、第二のアンテナ１４と、平板１１の外周をなす対向する二辺とがほぼ等間隔に配されている。また、第一のアンテナ１２の一方の端部には第一の接点１３が設けられており、第二のアンテナ１４の一方の端部には第二の接点１５が設けられている。さらに、第一の接点１３と第二の接点１５は互いに離間する位置、すなわち、第一のアンテナ１２における第一の接点１３が設けられていない端部側に、第二のアンテナ１４の第二の接点１５が設けられており、第二のアンテナ１４における第二の接点１５が設けられていない端部側に、第一のアンテナ１２の第一の接点１３が設けられている。
【００１６】
また、第一のアンテナ１２と第二のアンテナ１４は、所望の共振周波数や通信距離に応じて、互いに異なる長さをなす導電体である。
【００１７】
筐体１６に設けられた挿入部１６ａは、ここに挿入される平板１１の外形形状とほぼ同一の形状をなしている。挿入部１６ａの形状を平板１１の外形形状とほぼ同一とすることにより、挿入部１６ａに挿入した平板１１が容易に脱落して、非接触型ＩＣカード１０の機能が損なわれることを防止することができる。
【００１８】
筐体１６の挿入部１６ａの内面には、平板１１を筐体１６の挿入部１６ａに挿入した場合、平板１１に設けられた第一のアンテナ１２の第一の接点１３または第二のアンテナ１４の第二の接点１５と電気的に接続する位置に第三の接点１８が設けられている。また、筐体１６には、第三の接点１８と導電体１９を介して電気的に接続されたＩＣチップ１７が設けられている。
【００１９】
この非接触型ＩＣカード１０では、平板１１を筐体１６の挿入部１６ａに挿入することにより、平板１１の設けられた第一の接点１３または第二の接点１５と、ＩＣチップ１７に設けられた第三の接点１８とが電気的に接続して、第一のアンテナ１２または第二のアンテナ１４と、ＩＣチップ１７がＲＦＩＤ機能を有する半導体装置をなす。
【００２０】
平板１１をなす材料としては、少なくとも第一のアンテナ１２、第一の接点１３、第二のアンテナ１４および第二の接点１５が設けられる領域が電気絶縁性の材料からなるものが用いられる。このような材料としては、例えば、ガラス繊維、アルミナ繊維などの無機繊維またはポリエステル繊維、ポリアミド繊維などの有機繊維からなる織布、不織布、マット、紙あるいはこれらを組み合わせたもの、あるいはこれらに樹脂ワニスを含浸させて成形した複合材、ポリアミド系樹脂、ポリエステル系樹脂、ポリオレフィン系樹脂、ポリイミド系樹脂、エチレン−ビニルアルコール共重合体系樹脂、ポリビニルアルコール系樹脂、ポリ塩化ビニル系樹脂、ポリ塩化ビニリデン系樹脂、ポリスチレン系樹脂、ポリカーボネート系樹脂、アクリロニトリル−ブタジエンスチレン共重合体系樹脂、ポリエーテルスルホン系樹脂などの合成樹脂、あるいはこれらにマット処理、コロナ放電処理、プラズマ処理、紫外線照射処理、電子線照射処理、フレームプラズマ処理およびオゾン処理、あるいは各種易接着処理などの表面処理を施したものなどの公知のものから選択して用いることができる。
【００２１】
第一のアンテナ１２および第二のアンテナ１４は、導電性ペーストからなる導電性の膜、導電性の箔などからなる導電体である。
第一のアンテナ１２および第二のアンテナ１４を形成する導電体をなす導電性ペーストとしては、例えば、銀粉末、金粉末、白金粉末、アルミニウム粉末、パラジウム、ロジウムなどの粉末、カーボン粉末（カーボンブラック、カーボンナノチューブなど）などの導電微粒子を樹脂組成物に配合したものが挙げられる。この導電性ペーストをなす樹脂組成物としては、熱硬化型樹脂組成物、光硬化型樹脂組成物、浸透乾燥型樹脂組成物、溶剤揮発型樹脂組成物が挙げられる。
【００２２】
上記のような導電性微粒子を樹脂組成物に配合した導電性ペーストとしては、具体的には、導電微粒子を６０質量％以上含有し、熱可塑性樹脂のみ、あるいは熱可塑性樹脂と架橋性樹脂（特にポリエステルとイソシアネートによる架橋系樹脂など）とのブレンド樹脂組成物とし、ポリエステル系樹脂を１０質量％以上含有するもの、すなわち溶剤揮発型あるいは架橋／熱可塑併用型（但し熱可塑性樹脂を５０質量％以上含有するもの）のものや、導電性微粒子を５０質量％以上含有し、架橋性樹脂（エポキシ樹脂のフェノール硬化系、あるいはエポキシ樹脂のスルホニウム塩硬化系など）のみ、あるいは熱可塑性樹脂と架橋性樹脂とのブレンド樹脂組成物としたもの、すなわち架橋型かあるいは架橋／熱可塑併用型のものなどが好適に用いられる。
【００２３】
また、非接触型ＩＣカード１０において耐折り曲げ性がさらに要求される場合には、導電性ペーストに可撓性付与剤を配合することができる。可撓性付与剤としては、例えば、ポリエステル系可撓性付与剤、アクリル系可撓性付与剤、ウレタン系可撓性付与剤、ポリ酢酸ビニル系可撓性付与剤、熱可塑性エラストマー系可撓性付与剤、天然ゴム系可撓性付与剤、合成ゴム系可撓性付与剤などが挙げられる。本発明の半導体装置においては、これらの可撓性付与剤が単独で、あるいは２種以上が組み合わせられて用いられる。
【００２４】
第一のアンテナ１２および第二のアンテナ１４を形成する導電体をなす導電性の箔としては、銅箔、銀箔、金箔、白金箔などが挙げられる。
【００２５】
第一の接点１３および第二の接点１５は、半田ボールなどからなる導電体である。
【００２６】
筐体１６としては、少なくともＩＣチップ１７、第三の接点１８および導電体１９が設けられる面（挿入部１６ａの内面）が電気絶縁性の材料からなるものが用いられる。このような筐体１６をなす材料としては、上記の平板１１をなす材料と同様のものが挙げられる。
【００２７】
ＩＣチップ１７としては、特に限定されず、第一のアンテナ１２または第二のアンテナ１４を介して非接触状態にて情報の書き込みおよび読み出しが可能なものであれば、非接触型ＩＣタグや非接触型ＩＣラベル、あるいは非接触型ＩＣカードなどのＲＤＩＦメディアに適用可能なものであればいかなるものでも用いられる。
【００２８】
第三の接点１８は、半田ボールなどからなる導電体である。
【００２９】
導電体１９は、導電性ペーストからなる導電性の膜、導電性の箔などからなるものである。導電体１９をなす導電性ペーストとしては、上記の第一のアンテナ１２および第二のアンテナ１４をなす導電性ペーストと同様のものが挙げられる。また、導電体１９をなす導電性の箔としては、上記の第一のアンテナ１２および第二のアンテナ１４をなす導電性の箔と同様のものが挙げられる。
【００３０】
なお、この実施形態では、第一のアンテナ１２および第二のアンテナ１４が平板１１の一方の面１１ａに設けられた非接触型ＩＣカード１０を例示したが、本発明の情報担持体はこれに限定されない。本発明の情報担持体にあっては、平板の一方の面または他方の面のいずれか一方、あるいは、平板の一方の面および他方の面に３つ以上のアンテナが設けられていてもよい。
【００３１】
また、この実施形態では、第一のアンテナ１２、第二のアンテナ１４として、モノポールアンテナが設けられた非接触型ＩＣカード１０を例示したが、本発明の情報担持体はこれに限定されない。本発明の情報担持体にあっては、アンテナの形状は如何なるものであってもよく、例えば、ＩＣチップから延出された２つの端子にそれぞれ接続されたモノポールアンテナ、電磁波を使用するコイル状アンテナ、ループ状アンテナなどでも適用することができる。
【００３２】
次に、図２を参照して、非接触型ＩＣカード１０の使用方法について説明する。
図２（ａ）に示すように、平板１１の一方の面１１ａに設けられた第一の接点１３と、筐体１６の挿入部１６ａの内面に設けられた第三の接点１８が対向し、両者が電気的に接続するように、挿入部１６ａに平板１１を挿入する。
【００３３】
すると、第一のアンテナ１２と、ＩＣチップ１７がＲＦＩＤ機能を有する半導体装置をなし、第一のアンテナ１２として電磁誘導方式のアンテナが選択された場合、磁束を捕捉でき、電波方式のアンテナが選択された場合、電波を捕捉でき、ＩＣチップ１７を作動させるために十分な起電力を発生させることができる。そのため、情報書込／読出装置からの電磁誘導により、第一のアンテナ１２にＩＣチップ１７を作動させるのに十分な誘導起電力を発生させることができる。したがって、ＲＦＩＤ機能を有する半導体装置を使用可能とし、ＩＣチップ１７に記録された情報を読み取ったり、ＩＣチップ１７に記録された情報を書き換えることができる。
【００３４】
一方、図２（ｂ）に示すように、平板１１の一方の面１１ａに設けられた第二の接点１５と、筐体１６の挿入部１６ａの内面に設けられた第三の接点１８が対向し、両者が電気的に接続するように、挿入部１６ａに平板１１を挿入する。
【００３５】
すると、第二のアンテナ１４と、ＩＣチップ１７がＲＦＩＤ機能を有する半導体装置をなし、第二のアンテナ１４として電磁誘導方式のアンテナが選択された場合、磁束を捕捉でき、電波方式のアンテナが選択された場合、電波を捕捉でき、ＩＣチップ１７を作動させるために十分な起電力を発生させることができる。そのため、したがって、ＲＦＩＤ機能を有する半導体装置を使用可能とし、ＩＣチップ１７に記録された情報を読み取ったり、ＩＣチップ１７に記録された情報を書き換えることができる。
【００３６】
このようなことから、第一のアンテナ１２と第二のアンテナ１４を、互いに異なる長さをなす導電体で形成すれば、必要に応じて、共振周波数や通信距離を変えることができる。また、非接触型ＩＣカード１０を使用しない時や、使用したくない時には、平板１１を裏返して、筐体１６の挿入部１６ａに挿入すれば、非接触型ＩＣカード１０は使用できなくなる。
【００３７】
（第二の実施形態）
図３は、本発明に係る情報担持体の第二の実施形態として、非接触型ＩＣカードを示す概略図であり、（ａ）は斜視図、（ｂ）は（ａ）のＢ−Ｂ線に沿う断面図である。
図３中、符号２０は非接触型ＩＣカード、２１は平板状の部材（以下、「平板」と略す。）、２２は第一のアンテナ、２３は第一の接点、２４は第二のアンテナ、２５は第二の接点、２６は筐体、２７はＩＣチップ、２８は第三の接点、２９は導電体をそれぞれ示している。
【００３８】
この非接触型ＩＣカード２０は、平板２１と、この平板２１を内包するための挿入部２６ａを備えた筐体２６とから概略構成されている。
【００３９】
平板２１の一方の面２１ａには、第一のアンテナ２２が、平板２１の外周をなす対向する二辺のうちの一辺に沿って設けられている。また、平板２１の他方の面２１ｂには、第二のアンテナ２４が、平板２１の外周をなす一辺のうち上記の第一のアンテナ２２が沿うように設けられている辺と対向する一辺に沿って設けられている。また、第一のアンテナ２２の一方の端部には第一の接点２３が設けられており、第二のアンテナ２４の一方の端部には第二の接点２５が設けられている。さらに、第一の接点２３と第二の接点１５は、平板２１を筐体２６の挿入部２６ａに挿入した状態で、挿入部２６ａの内方側に設けられている。
【００４０】
また、第一のアンテナ２２と第二のアンテナ２４は、所望の共振周波数や通信距離に応じて、互いに異なる長さをなす導電体からなるものである。
【００４１】
筐体２６に設けられた挿入部２６ａは、ここに挿入される平板２１の外形形状とほぼ同一の形状をなしている。挿入部２６ａの形状を平板２１の外形形状とほぼ同一とすることにより、挿入部２６ａに挿入した平板２１が容易に脱落して、非接触型ＩＣカード２０の機能が損なわれることを防止することができる。
【００４２】
筐体２６の挿入部２６ａの内面には、平板２１を筐体２６の挿入部２６ａに挿入した場合、平板２１に設けられた第一のアンテナ２２の第一の接点２３または第二のアンテナ２４の第二の接点２５と電気的に接続する位置に第三の接点２８が設けられている。また、筐体２６には、第三の接点２８と導電体２９を介して電気的に接続されたＩＣチップ２７が設けられている。
【００４３】
この非接触型ＩＣカード２０では、平板２１を筐体２６の挿入部２６ａに挿入することにより、平板２１の設けられた第一の接点２３または第二の接点２５と、ＩＣチップ２７に設けられた第三の接点２８とが電気的に接続して、第一のアンテナ２２または第二のアンテナ２４と、ＩＣチップ２７がＲＦＩＤ機能を有する半導体装置をなす。
【００４４】
平板２１をなす材料としては、上記の平板１１をなす材料と同様のものが挙げられる。
第一のアンテナ２２および第二のアンテナ２４としては、上記の第一のアンテナ１２および第二のアンテナ１４と同様のものが挙げられる。
第一の接点２３および第二の接点２５は、上記の第一の接点１３および第二の接点１５と同様のものが挙げられる。
【００４５】
筐体２６をなす材料としては、上記の平板１１をなす材料と同様のものが挙げられる。
ＩＣチップ２７としては、上記のＩＣチップ１７と同様のものが挙げられる。
第三の接点２８としては、上記の第三の接点１８と同様のものが挙げられる。
導電体２９としては、上記の導電体１９と同様のものが挙げられる。
【００４６】
なお、この実施形態では、第一のアンテナ２２が平板２１の一方の面２１ａに設けられ、第二のアンテナ２４が平板２１の他方の面２１ｂに設けられた非接触型ＩＣカード２０を例示したが、本発明の情報担持体はこれに限定されない。本発明の情報担持体にあっては、平板の一方の面または他方の面のいずれか一方、あるいは、平板の一方の面および他方の面に３つ以上のアンテナが設けられていてもよい。
【００４７】
また、この実施形態では、第一のアンテナ２２、第二のアンテナ２４として、モノポールアンテナが設けられた非接触型ＩＣカード２０を例示したが、本発明の情報担持体はこれに限定されない。本発明の情報担持体にあっては、アンテナの形状は如何なるものであってもよく、例えば、ＩＣチップから延出された２つの端子にそれぞれ接続されたモノポールアンテナ、電磁波を使用するコイル状アンテナ、ループ状アンテナなどでも適用することができる。
【００４８】
次に、図４を参照して、非接触型ＩＣカード２０の使用方法について説明する。
図４（ａ）に示すように、平板２１の一方の面２１ａに設けられた第一の接点２３と、筐体２６の挿入部２６ａの内面に設けられた第三の接点２８が対向し、両者が電気的に接続するように、挿入部２６ａに平板２１を挿入する。
【００４９】
すると、第一のアンテナ２２と、ＩＣチップ２７がＲＦＩＤ機能を有する半導体装置をなし、第一のアンテナ２２として電磁誘導方式のアンテナが選択された場合、磁束を捕捉でき、電波方式のアンテナが選択された場合、電波を捕捉でき、ＩＣチップ２７を作動させるために十分な起電力を発生させることができる。そのため、情報書込／読出装置からの電磁誘導により、第一のアンテナ２２にＩＣチップ２７を作動させるのに十分な誘導起電力を発生させることができる。したがって、ＲＦＩＤ機能を有する半導体装置を使用可能とし、ＩＣチップ２７に記録された情報を読み取ったり、ＩＣチップ２７に記録された情報を書き換えることができる。
【００５０】
一方、図４（ｂ）に示すように、平板２１の他方の面２１ｂに設けられた第二の接点２５と、筐体２６の挿入部２６ａの内面に設けられた第三の接点２８が対向し、両者が電気的に接続するように、挿入部２６ａに平板２１を挿入する。
【００５１】
すると、第二のアンテナ２４と、ＩＣチップ２７がＲＦＩＤ機能を有する半導体装置をなし、第二のアンテナ２４として電磁誘導方式のアンテナが選択された場合、磁束を捕捉でき、電波方式のアンテナが選択された場合、電波を捕捉でき、ＩＣチップ２７を作動させるために十分な起電力を発生させることができる。そのため、情報書込／読出装置からの電磁誘導により、第二のアンテナ２４にＩＣチップ２７を作動させるのに十分な誘導起電力を発生させることができる。したがって、ＲＦＩＤ機能を有する半導体装置を使用可能とし、ＩＣチップ２７に記録された情報を読み取ったり、ＩＣチップ２７に記録された情報を書き換えることができる。
【００５２】
このようなことから、第一のアンテナ２２と第二のアンテナ２４を、互いに異なる長さをなす導電体で形成すれば、必要に応じて、共振周波数や通信距離を変えることができる。また、非接触型ＩＣカード２０を使用しない時や、使用したくない時には、平板１１を筐体２６の挿入部２６ａに挿入する方向を前後逆にすれば、非接触型ＩＣカード２０は使用できなくなる。
【産業上の利用可能性】
【００５３】
本発明の情報担持体は、事前登録が必要なイベント会場への入場券を自宅へ郵送する場合や、投票券などを自宅へ配送する場合などにも適用可能である。
【図面の簡単な説明】
【００５４】
【図１】本発明に係る情報担持体の第一の実施形態として、非接触型ＩＣカードを示す概略図であり、（ａ）は斜視図、（ｂ）は（ａ）のＡ−Ａ線に沿う断面図である。
【図２】本発明に係る情報担持体の第一の実施形態において、非接触型ＩＣカードの使用方法を示す概略断面図である。
【図３】本発明に係る情報担持体の第二の実施形態として、非接触型ＩＣカードを示す概略図であり、（ａ）は斜視図、（ｂ）は（ａ）のＢ−Ｂ線に沿う断面図である。
【図４】本発明に係る情報担持体の第二の実施形態において、非接触型ＩＣカードの使用方法を示す概略断面図である。
【符号の説明】
【００５５】
１０，２０・・・非接触型ＩＣカード、１１，２１・・・平板、１２，２２・・・第一のアンテナ、１３，２３・・・第一の接点、１４，２４・・・第二のアンテナ、１５，２５・・・第二の接点、１６，２６・・・筐体、１７，２７・・・ＩＣチップ、１８，２８・・・第三の接点、１９，２９・・・導電体。
【図１】
2006048095.tif 000003
【図２】
2006048095.tif 000004
【図３】
2006048095.tif 000005
【図４】
2006048095.tif 000006